(57)【要約】【課題】調剤薬局や医療機関の経済的・時間的な負担を軽減しながら、在庫圧縮を実現し、有効期限徒過や調剤ミス根絶による安全管理の徹底を可能とする調剤業務支援システム、医薬品備蓄システム及び医薬品流通管理システムを提供することである。【解決手段】処方箋情報を入力する第１の入力部１９と、在庫医薬品の医薬品情報に数量情報、ロット番号情報及び有効期限情報を付加した物流医薬品情報を生成する第１の物流情報生成部２２と、この物流医薬品情報を格納する第１の在庫データベース１６と、物流医薬品情報を読み出して調剤指示書を作成する調剤指示書作成部２１と、第１の在庫データベース１６に格納された物流医薬品情報を更新する第１の在庫管理部２４を有する。【選択図】  図３
2004287833.tif 000002
【特許請求の範囲】
【請求項１】
処方箋情報を入力する第１の入力部と、在庫医薬品の医薬品情報に数量情報、ロット番号情報及び有効期限情報を付加した物流医薬品情報を生成する第１の物流情報生成部と、この物流医薬品情報を格納する第１の在庫データベースと、前記第１の入力部から入力された処方箋情報に含まれる医薬品情報を読み出して、前記第１の在庫データベースに格納された物流医薬品情報に含まれる医薬品情報と一致する前記在庫医薬品であって前記有効期限情報に含まれる有効期限が直近である前記在庫医薬品から優先的にその物流医薬品情報を読み出して調剤指示書を作成する調剤指示書作成部と、前記第１の在庫データベースに格納された物流医薬品情報を更新する第１の在庫管理部とを有することを特徴とする調剤業務支援システム。
【請求項２】
前記物流医薬品情報に含まれる数量情報が予め設定した発注点に到達した場合に該数量情報を含む物流医薬品情報から医薬品情報を読み出して発注処理を行う第１の発注処理部を有することを特徴とする請求項１記載の調剤業務支援システム。
【請求項３】
前記処方箋情報を入力する第１の入力部に代えて、レセプトコンピュータに入力された処方箋情報を読み出す前記レセプトコンピュータとのインターフェースを備えることを特徴とする請求項１又は請求項２記載の調剤業務支援システム。
【請求項４】
前記調剤業務支援システムは、前記物流医薬品情報を付した在庫医薬品を収納する第１の医薬品管理庫を備えることを特徴とする請求項１乃至請求項３のいずれか１に記載の調剤業務支援システム。
【請求項５】
前記物流医薬品情報は、在庫医薬品の包装袋又は包装シートに付されていることを特徴とする請求項１乃至請求項４のいずれか１に記載の調剤業務支援システム。
【請求項６】
前記第１の物流情報生成部は、生成した物流医薬品情報をデジタルコードに変換することを特徴とする請求項１乃至請求項５のいずれか１に記載の調剤業務支援システム。
【請求項７】
卸医薬品情報を入力する第２の入力部と、在庫卸医薬品の医薬品情報に数量情報、ロット番号情報及び有効期限情報を付加した物流医薬品情報を生成する第２の物流情報生成部と、この物流医薬品情報を格納する第２の在庫データベースと、顧客からの発注情報を受信する受注処理部と、この受注処理部で受信された発注情報に含まれる医薬品情報を読み出して、前記第２の在庫データベースに格納された物流医薬品情報に含まれる医薬品情報と一致する在庫卸医薬品であって前記有効期限情報に含まれる有効期限が直近である在庫卸医薬品から優先的にその物流医薬品情報を読み出して出荷処理を行う出荷処理部と、前記第２の在庫データベースに格納された物流医薬品情報を更新する第２の在庫管理部とを有することを特徴とする医薬品備蓄システム。
【請求項８】
前記出荷処理部は、前記第２の在庫データベースに格納された物流医薬品情報に含まれる医薬品情報と一致する在庫卸医薬品であって前記有効期限情報に含まれる有効期限が直近である在庫卸医薬品から優先的にその物流医薬品情報を読み出し前記物流医薬品情報を付加して出荷処理を行うことを特徴とする請求項７記載の医薬品備蓄システム。
【請求項９】
前記物流医薬品情報に含まれる数量情報が予め設定した発注点に到達した場合に該数量情報を含む物流医薬品情報から医薬品情報を読み出して発注処理を行う第２の発注処理部を有することを特徴とする請求項７又は請求項８に記載の医薬品備蓄システム。
【請求項１０】
前記医薬品備蓄システムは、在庫卸医薬品に前記物流医薬品情報を付した医薬品を管理する第２の医薬品管理庫を備えることを特徴とする請求項７乃至請求項９のいずれか１に記載の医薬品備蓄システム。
【請求項１１】
前記物流医薬品情報は、在庫卸医薬品の包装袋又は包装シートに付されていることを特徴とする請求項１０に記載の医薬品備蓄システム。
【請求項１２】
前記第２の物流情報生成部は、生成した物流医薬品情報をデジタルコードに変換することを特徴とする請求項７乃至請求項１１のいずれか１に記載の医薬品備蓄システム。
【請求項１３】
処方箋情報を入力する第１の入力部と、在庫医薬品の医薬品情報に数量情報、ロット番号情報及び有効期限情報を付加した物流医薬品情報を生成する第１の物流情報生成部と、この物流医薬品情報を格納する第１の在庫データベースと、前記第１の入力部から入力された処方箋情報に含まれる医薬品情報を読み出して、前記第１の在庫データベースに格納された物流医薬品情報に含まれる医薬品情報と一致する前記在庫医薬品であって前記有効期限情報に含まれる有効期限が直近である前記在庫医薬品から優先的にその物流医薬品情報を読み出して調剤指示書を作成する調剤指示書作成部と、前記第１の在庫データベースに格納された物流医薬品情報を更新する第１の在庫管理部と、前記物流医薬品情報に含まれる数量情報が予め設定した第１の発注点に到達した場合に該数量情報を含む物流医薬品情報から医薬品情報を読み出して発注情報を出力する第１の発注処理部とを有する調剤業務支援システムと、
卸医薬品情報を入力する第２の入力部と、在庫卸医薬品の医薬品情報に数量情報、ロット番号情報及び有効期限情報を付加した物流医薬品情報を生成する第２の物流情報生成部と、この物流医薬品情報を格納する第２の在庫データベースと、前記発注情報を受信する受注処理部と、この受注処理部で受信された発注情報に含まれる医薬品情報を読み出して、前記第２の在庫データベースに格納された物流医薬品情報に含まれる医薬品情報と一致する在庫卸医薬品であって前記有効期限情報に含まれる有効期限が直近である在庫卸医薬品から優先的にその物流医薬品情報を読み出して出荷処理を行う出荷処理部と、前記第２の在庫データベースに格納された物流医薬品情報を更新する第２の在庫管理部とを有する医薬品備蓄システムと、
を有することを特徴とする医薬品流通管理システム。
【請求項１４】
卸医薬品情報を入力する第２の入力部と、卸医薬品の医薬品情報に数量情報、ロット番号情報及び有効期限情報を付加する第２の物流情報生成部と、卸医薬品の物流医薬品情報を格納する第２の在庫データベースと、発注情報を受信する受注処理部と、この受注処理部で受信された発注情報に含まれる医薬品情報を読み出して、前記第２の在庫データベースに格納された物流医薬品情報に含まれる医薬品情報と一致する医薬品であって前記有効期限情報に含まれる有効期限が直近である在庫卸医薬品から優先的にその物流医薬品情報を読み出し、前記物流医薬品情報を付加して出荷処理を行う出荷処理部と、前記第２の在庫データベースに格納された物流医薬品情報を更新する第２の在庫管理部とを有する医薬品備蓄システムと、
処方箋情報を入力する第１の入力部と、前記医薬品備蓄システムの出荷処理部で付加された物流医薬品情報を格納する第１の在庫データベースと、前記第１の入力部から入力された処方箋情報に含まれる医薬品情報を読み出して、前記第１の在庫データベースに格納された物流医薬品情報に含まれる医薬品情報と一致する在庫医薬品であって前記有効期限情報に含まれる有効期限が直近である在庫医薬品から優先的にその物流医薬品情報を読み出して調剤指示書を作成する調剤指示書作成部と、前記第１の在庫データベースに格納された物流医薬品情報を更新する第１の在庫管理部と、前記物流医薬品情報に含まれる数量情報が予め設定した第１の発注点に到達した場合に該数量情報を含む物流医薬品情報から医薬品情報を読み出して前記発注情報を出力する第１の発注処理部とを有する調剤業務支援システムと、
を有することを特徴とする医薬品流通管理システム。
【請求項１５】
前記処方箋情報を入力する第１の入力部に代えて、レセプトコンピュータに入力された処方箋情報を読み出す前記レセプトコンピュータとのインターフェースを備えることを特徴とする請求項１３又は請求項１４に記載の医薬品流通管理システム。
【請求項１６】
前記物流医薬品情報に含まれる数量情報が予め設定した第２の発注点に到達した場合に該数量情報を含む物流医薬品情報から医薬品情報を読み出して発注処理を行う第２の発注処理部を有することを特徴とする請求項１３乃至請求項１５のいずれか１に記載の医薬品備蓄システム。
【請求項１７】
前記第２の発注点における在庫設定は前記第１の発注点における在庫設定よりも数量が多いことを特徴とする請求項１６記載の医薬品流通管理システム。
【発明の詳細な説明】
【０００１】
【発明の属する技術分野】
本発明は、調剤薬局や医療機関で使用される医薬品の在庫管理と円滑な流通を促進させる調剤業務支援システム、医薬品備蓄システム及び医薬品流通管理システムに係わり、特に、調剤薬局や医療機関の経済的あるいは時間的な負担を最小限に留めつつ、少量医薬品の管理を可能とすることによる在庫圧縮と、有効期限徒過や調剤ミスの根絶による安全管理の徹底を可能とする調剤業務支援システム、医薬品備蓄システム及び医薬品流通管理システムに関する。
【０００２】
【従来の技術】
一般に、調剤薬局や医療機関では医師が準備する処方箋の記載に応じて保管された医薬品を調剤し、患者へ手渡している。この医薬品は、医薬品の卸業者の訪問販売などの営業行為を通じて購入されたり、予め締結された特定の契約などに従って購入される。
医薬品の購入の単位は、箱や瓶などの包装単位であることが普通であり、しかもそれらの包装単位を複数セットにした箱詰めなどで購入しなければならない場合も多々ある。
【０００３】しかしながら、調剤薬局などは少量多品種の医薬品を取り扱う必要があるため、常にある程度の医薬品の在庫を維持しておく必要がある。しかも、医薬品の有効期限は厳守する必要があるため医薬品の購入は有効期限に余裕を持つ必要がある。
従って、特に小規模な調剤薬局などでは医薬品の消費量よりも医薬品の購入量が多くなり、全く使用されないまま有効期限を迎えるいわゆるデッドストックと呼ばれる在庫を抱えることが多くなっていた。
このような状況に対して、特許文献１には「小分け薬品情報提供システム」では、より多くの提供可能な小分け薬品の保有情報あるいは備蓄在庫されている薬品の情報を集め、タイムリーでかつ的確な情報を薬局などに提供するシステムが開示されている。
【０００４】この小分け薬品情報提供システムでは、サーバー装置とクライアント装置をインターネットで接続し、サーバー装置から小分けして欲しい薬品の情報をサーバー装置に送信し、サーバー装置はその薬品の提供が可能な提供元を抽出しその提供元のクライアント装置に送信するというものである。従って、小分けして欲しい薬局と小分けに応じることが可能な薬局間での小分け薬品の流通を促進することができ、それによって医薬品の備蓄、在庫を圧縮することができる。
さらに、特許文献２には、「薬品卸業務管理システム」が開示されており、病院や薬局での薬品の消化状況や在庫状態から需要を予測して薬品を納入する業務形態を構築するものが提案されている。
【０００５】一方、調剤のための処方箋に記載される情報は、レセプトコンピュータ（以下、レセコンと略して言う。）と呼ばれる医薬品の点数計算を行うコンピュータに入力される必要がある。レセプトとは、診療報酬請求のことで、この書類を通じて診療内容や使用した医薬品の点数をレセコンへ入力して計算し、診療報酬の請求をレセプト受付機関へ対して行うのである。このレセコンへの入力は、調剤業務に平行して行われる診療報酬請求のために実施されるものであるため、調剤薬局ではこの診療報酬請求の管理とは別個独立に医薬品の在庫管理を実施する必要がある。
しかし、このレセプトコンピュータはいわゆるスタンドアローン型と呼ばれるコンピュータであり、従来からこのレセプトコンピュータに対するパッケージソフトウェアは販売されているものの、別個に行われるべき医薬品の在庫管理のためのパッケージソフトウェアはレセプトのためのパッケージソフトウェアとは異なり、使用した医薬品に関する情報も別個独立に入力する必要があった。このような重複入力によって、作業が複雑化し重労働となる他、ミスなども発生しやすいという課題があった。
【０００６】このような課題に対しては、例えば特許文献３に開示されるような「インターネットを介した薬剤師業務支援システム」が提供されている。このインターネットを介した薬剤師業務支援システムでは、ＡＳＰ（Ａｐｐｌｉｃａｔｉｏｎ  Ｓｅｒｖｉｃｅ  Ｐｒｏｖｉｄｅｒ）方式によって薬剤師支援アプリケーションを管理するアプリケーション管理サーバ、薬局に設置されるクライアント装置、このクライアント装置に対してインターネットを介して情報伝送するデータセンタを備えるものである。このように構成された薬剤師業務支援システムでは、ＡＳＰ方式によってクライアント装置に薬剤師支援アプリケーションを提供し、処方箋データに基づいてレセプト請求データを作成したり、処方データ内容のチェックを行ったり、さらには処方箋データに基づいて在庫管理データベースを更新したりすることができる。
【０００７】また、特許文献２に開示される発明においても、レセプトコンピュータから処方薬剤のデータを払出しデータとして記憶装置に格納するなどして、処方箋データが活用されている（第００３９欄）。
さらに、従来から医薬品の仕入れなどの流通過程ではＪＡＮ（Ｊａｐａｎｅｓｅ  Ａｒｔｉｃｌｅ  Ｎｕｍｂｅｒ）コードや個別医薬品コード（通称ＹＪコード）などで管理されている。
このようなコードによる管理は、医薬品メーカーから卸業者までの流通段階では付されることが通常であったが、このような流通段階から後の段階、すなわち卸業者内においてもこのようなコードをバーコードとして使用できれば、調剤薬局や病院などの医療機関へ販売する際にも都合がよい。特許文献２においては、このように一払出単位の薬品にバーコードラベルを貼付して払出単位毎に薬品の使用期限管理を含めた在庫管理を行う発明が開示されている（第００２０欄）。
【０００８】
【特許文献１】
特開２００２−１２３６０８号公報
【特許文献２】
特開２００２−１４９８１９号公報
【特許文献３】
特開２００２−１９７１８４号公報
【０００９】
【発明が解決しようとする課題】
しかしながら、かかる従来の技術においては、調剤薬局あるいは医療機関側の経済的、時間的な負担を軽減しながら消費した医薬品そのままの量を補充して在庫の圧縮を実現しながら、期限徹底管理や調剤ミス防止などの安全対策を講じること点においてまだ十分に課題が解決できているとはいえない。
例えば、特許文献１に記載された発明においては、小分け薬品の保有情報のやりとりを通じてその提供を受けることができる可能性はあるものの、確実に必要な小分け薬品が入手できるという保証はなく、安定して小分け薬品を提供することができないという課題があった。
【００１０】また、特許文献２に開示された発明においては、薬局や病院での医薬品の消費状況と在庫状況を元に需要予測を出し、それに基づいて医薬品を納入するが、予測はある程度大きな規模の薬局や病院では精度が高いと考えられるものの、小規模機関においては販売のばらつきが大きく必ずしも高い精度が得られないという課題があった。また、一払出単位の薬品にバーコードラベルを貼付して払出単位毎に薬品の使用期限管理を含めた在庫管理を行うという技術も、卸業者内で実施されるものであり、薬局や病院内における在庫管理については何ら言及がなく、１錠あるいは１包毎にも管理が必要な場合もある薬局や病院における在庫管理に関する具体的な方策を提供するものではない。医薬品の管理は、医薬品が上流側に位置するメーカーから下流側の調剤薬局や医療機関に流通していくにつれ、細分化するため管理に負担がかかる。しかしながら、最終の医薬品ユーザーである患者に接する調剤薬局や医療機関でその取扱いに細心の注意が必要であることは言うまでもなく、在庫管理が最も重要視されるのである。この点に関して、特許文献２には言及がなく、具体的な解決の方策が開示されていないのである。
【００１１】特許文献３に開示された発明は、ＡＳＰ方式を採用してスタンドアローン型のレセコンを幅広く活用する技術を提供するものであり、処方箋データに基づいてレセプト請求データを作成したり、在庫管理データベースを更新可能であるが、必要となった少量の医薬品の補充についてはその流通手段について言及されておらず、依然として少量多品種の医薬品の流通を経済的に推進することができないという課題があった。
【００１２】本発明はかかる従来の事情に対処してなされたものであり、調剤薬局や医療機関の経済的・時間的な負担を軽減しながら、少量医薬品の管理を可能として在庫圧縮を実現し、有効期限徒過や調剤ミス根絶による安全管理の徹底を可能とする調剤業務支援システム、医薬品備蓄システム及び医薬品流通管理システムを提供することを目的とする。
【００１３】
【課題を解決するための手段】
上記目的を達成するため、請求項１記載の発明である調剤業務支援システムは、処方箋情報を入力する第１の入力部と、在庫医薬品の医薬品情報に数量情報、ロット番号情報及び有効期限情報を付加した物流医薬品情報を生成する第１の物流情報生成部と、この物流医薬品情報を格納する第１の在庫データベースと、第１の入力部から入力された処方箋情報に含まれる医薬品情報を読み出して、第１の在庫データベースに格納された物流医薬品情報に含まれる医薬品情報と一致する在庫医薬品であって有効期限情報に含まれる有効期限が直近である在庫医薬品から優先的にその物流医薬品情報を読み出して調剤指示書を作成する調剤指示書作成部と、第１の在庫データベースに格納された物流医薬品情報を更新する第１の在庫管理部と有するものである。
【００１４】上記構成の調剤業務支援システムは、処方箋情報にはロット番号や有効期限情報が含まれていなくとも、在庫医薬品の管理にはこれらの情報を付加して物流医薬品情報として第１の在庫データベースに格納するため、在庫医薬品の管理にこれらの情報を用いて行うことを可能にする作用を有する。
調剤指示書の作成指示においてもこれらの情報を用いることができ、有効期限について先入れ先出しを行うことができるという作用を有する。
【００１５】また、請求項２に記載の発明である調剤業務支援システムは、請求項１に記載の調剤業務支援システムにおいて、物流医薬品情報に含まれる数量情報が予め設定した発注点に到達した場合に該数量情報を含む物流医薬品情報から医薬品情報を読み出して発注処理を行う第１の発注処理部を有するものである。
【００１６】上記構成の調剤業務支援システムにおいては、請求項１に記載の発明の作用に加えて、在庫医薬品の数量が予め設定された発注点に到達した場合に、第１の発注処理部が数量情報の減少を感知して発注を行うものであるが、その際には物流医薬品情報から医薬品情報を読み出して行うため、調剤業務支援システムで使用されるこれらの数量情報、ロット番号情報、有効期限情報が漏れることがないという作用を有する。
【００１７】請求項３記載の発明である調剤業務支援システムは、請求項１または請求項２に記載の調剤業務支援システムにおいて、処方箋情報を入力する第１の入力部に代えて、レセプトコンピュータに入力された処方箋情報を読み出す前記レセプトコンピュータとのインターフェースを備えるというものである。
【００１８】上記構成の調剤業務支援システムにおいては、請求項１または請求項２に記載の発明の作用に加えて、レセプトコンピュータに対する入力と調剤業務支援システムへの入力という２重の入力を行う必要がなく、レセプトコンピュータとのインターフェースはレセプトコンピュータの入力を取り込む作用を有する。
【００１９】また、請求項４に記載の発明である調剤業務支援システムは、請求項１乃至請求項３のいずれか１に記載の発明において、物流医薬品情報を付した在庫医薬品を収納する第１の医薬品管理庫を備えるものである。
上記構成の調剤業務支援システムにおいては、第１の医薬品管理庫にロット番号情報、有効期限情報などを付加した物流医薬品情報を付して在庫医薬品を管理することができ、薬剤師が調剤のために在庫医薬品を第１の医薬品管理庫から出庫する場合にその物流医薬品情報からロット番号や有効期限を視認できるという作用を有する。
【００２０】さらに、請求項５に記載の発明である調剤業務支援システムは、請求項１乃至請求項４のいずれか１に記載の発明において、物流医薬品情報が在庫医薬品の包装袋又は包装シートに付されているものである。
このように構成された調剤業務支援システムにおいては、請求項４と同様の作用を備える。
【００２１】請求項６に記載の発明である調剤業務支援システムは、請求項１乃至請求項５に記載の発明において、第１の物流情報生成部が、生成した物流医薬品情報をデジタルコードに変換するものである。
このような調剤業務支援システムにおいては、デジタルコードを使用することで、コードの読取り装置が容易に入手できシステム構築も容易という作用を有する。
【００２２】請求項７記載の発明である医薬品備蓄システムは、卸医薬品情報を入力する第２の入力部と、在庫卸医薬品の医薬品情報に数量情報、ロット番号情報及び有効期限情報を付加した物流医薬品情報を生成する第２の物流情報生成部と、この物流医薬品情報を格納する第２の在庫データベースと、顧客からの発注情報を受信する受注処理部と、この受注処理部で受信された発注情報に含まれる医薬品情報を読み出して、第２の在庫データベースに格納された物流医薬品情報に含まれる医薬品情報と一致する在庫卸医薬品であって有効期限情報に含まれる有効期限が直近である在庫卸医薬品から優先的にその物流医薬品情報を読み出して出荷処理を行う出荷処理部と、第２の在庫データベースに格納された物流医薬品情報を更新する第２の在庫管理部とを有するものである。
【００２３】このように構成された医薬品備蓄システムにおいては、顧客からの発注情報にはロット番号や有効期限情報が含まれていなくとも、在庫卸医薬品の管理にはこれらの情報を付加して物流医薬品情報として第２の在庫データベースに格納するため、在庫卸医薬品の管理にこれらの情報を用いて行うことを可能にする作用を有する。
【００２４】出荷処理においてもこれらの情報を用いることができ、有効期限について先入れ先出しを行うことができるという作用を有する。
請求項８に記載の医薬品備蓄システムは、請求項７に記載された医薬品備蓄システムにおいて、出荷処理部が出荷処理を行う場合に、物流医薬品情報を付加して出荷処理を行うものである。
このように構成された医薬品備蓄システムにおいては、物流医薬品情報を付加して在庫卸医薬品の出荷を行うことによって、その在庫卸医薬品自体に物流医薬品情報がついて廻り、この在庫卸医薬品を入荷する顧客においても、物流医薬品情報による管理を行うことができるという作用を有する。
【００２５】請求項９に記載の医薬品備蓄システムは、請求項７又は請求項８に記載された医薬品備蓄システムにおいて、物流医薬品情報に含まれる数量情報が予め設定した発注点に到達した場合に該数量情報を含む物流医薬品情報から医薬品情報を読み出して発注処理を行う第２の発注処理部を有するものである。
このように構成された医薬品備蓄システムにおいては、請求項７及び請求項８に記載された医薬品備蓄システムの作用に加えて、在庫卸医薬品の数量が予め設定された発注点に到達した場合に、第２の発注処理部が数量情報の減少を感知して発注を行うものであるが、その際には物流医薬品情報から医薬品情報を読み出して行うため、医薬品備蓄システムで使用されるこれらの数量情報、ロット番号情報、有効期限情報を卸業者側で管理する必要がないという作用を有する。
【００２６】請求項１０に記載の医薬品備蓄システムは、請求項７乃至請求項９のいずれか１に記載の医薬品備蓄システムにおいて、在庫卸医薬品に物流医薬品情報を付した医薬品を管理する第２の医薬品管理庫を備えるものである。
このように構成された医薬品備蓄システムにおいては、請求項４に記載された発明と同様であるが、第２の医薬品管理庫にロット番号情報、有効期限情報などを付加した物流医薬品情報を付して在庫卸医薬品を管理することができ、在庫卸医薬品を顧客への出荷のために第２の医薬品管理庫から出庫する場合にその物流医薬品情報からロット番号や有効期限を視認できるという作用を有する。
【００２７】請求項１１に記載の医薬品備蓄システムは、請求項１０に記載された医薬品備蓄システムにおいて、物流医薬品情報が、在庫卸医薬品の包装袋又は包装シートに付されているものである。
このように構成された医薬品備蓄システムにおいては、請求項１０に記載された発明と同様の作用を有する。
請求項１２に記載の医薬品備蓄システムは、請求項７乃至請求項１１に記載の発明において、第２の物流情報生成部が、生成した物流医薬品情報をデジタルコードに変換するものである。
このように構成された医薬品備蓄システムにおいては、請求項６に記載された発明の作用と同様に、デジタルコードを使用することで、コードの読取り装置が容易に入手できシステム構築も容易という作用を有する。
【００２８】請求項１３に記載された医薬品流通管理システムは、処方箋情報を入力する第１の入力部と、在庫医薬品の医薬品情報に数量情報、ロット番号情報及び有効期限情報を付加した物流医薬品情報を生成する第１の物流情報生成部と、この物流医薬品情報を格納する第１の在庫データベースと、第１の入力部から入力された処方箋情報に含まれる医薬品情報を読み出して、第１の在庫データベースに格納された物流医薬品情報に含まれる医薬品情報と一致する前記在庫医薬品であって有効期限情報に含まれる有効期限が直近である在庫医薬品から優先的にその物流医薬品情報を読み出して調剤指示書を作成する調剤指示書作成部と、第１の在庫データベースに格納された物流医薬品情報を更新する第１の在庫管理部と、物流医薬品情報に含まれる数量情報が予め設定した第１の発注点に到達した場合に該数量情報を含む物流医薬品情報から医薬品情報を読み出して発注情報を出力する第１の発注処理部とを有する調剤業務支援システムと、
卸医薬品情報を入力する第２の入力部と、在庫卸医薬品の医薬品情報に数量情報、ロット番号情報及び有効期限情報を付加した物流医薬品情報を生成する第２の物流情報生成部と、この物流医薬品情報を格納する第２の在庫データベースと、発注情報を受信する受注処理部と、この受注処理部で受信された発注情報に含まれる医薬品情報を読み出して、前記第２の在庫データベースに格納された物流医薬品情報に含まれる医薬品情報と一致する在庫卸医薬品であって前記有効期限情報に含まれる有効期限が直近である在庫卸医薬品から優先的にその物流医薬品情報を読み出して出荷処理を行う出荷処理部と、第２の在庫データベースに格納された物流医薬品情報を更新する第２の在庫管理部とを有するものである。
【００２９】このような構成に係る本発明においては、顧客側に設置される調剤業務支援システムと医薬品備蓄システムを備えて、医薬品の円滑な流通を図るものであるが、互いの物流医薬品情報は流通時には使用せず、各々のシステム内でクローズして使用しているため、ぞれぞれの物流医薬品情報が漏洩することがなく、また、発注処理などが簡略化されるという作用がある。また、調剤業務支援システムにおいては調剤時に、医薬品備蓄システムにおいては調剤業務支援システムへの出荷時に、先入れ先出しの原則を維持して有効期限の管理が容易となる作用を有する。
【００３０】請求項１４に記載された医薬品流通管理システムは、卸医薬品情報を入力する第２の入力部と、卸医薬品の医薬品情報に数量情報、ロット番号情報及び有効期限情報を付加する第２の物流情報生成部と、卸医薬品の物流医薬品情報を格納する第２の在庫データベースと、発注情報を受信する受注処理部と、この受注処理部で受信された発注情報に含まれる医薬品情報を読み出して、第２の在庫データベースに格納された物流医薬品情報に含まれる医薬品情報と一致する医薬品であって前記有効期限情報に含まれる有効期限が直近である在庫卸医薬品から優先的にその物流医薬品情報を読み出し、物流医薬品情報を付加して出荷処理を行う出荷処理部と、第２の在庫データベースに格納された物流医薬品情報を更新する第２の在庫管理部とを有する医薬品備蓄システムと、
処方箋情報を入力する第１の入力部と、医薬品備蓄システムの出荷処理部で付加された物流医薬品情報を格納する第１の在庫データベースと、第１の入力部から入力された処方箋情報に含まれる医薬品情報を読み出して、第１の在庫データベースに格納された物流医薬品情報に含まれる医薬品情報と一致する在庫医薬品であって有効期限情報に含まれる有効期限が直近である在庫医薬品から優先的にその物流医薬品情報を読み出して調剤指示書を作成する調剤指示書作成部と、第１の在庫データベースに格納された物流医薬品情報を更新する第１の在庫管理部と、前記物流医薬品情報に含まれる数量情報が予め設定した第１の発注点に到達した場合に該数量情報を含む物流医薬品情報から医薬品情報を読み出して前記発注情報を出力する第１の発注処理部とを有する調剤業務支援システムとを有するものである。
【００３１】このように構成された医薬品備蓄システムにおいては、請求項１３に記載の発明とは異なり、調剤業務支援システムと医薬品備蓄システムという２つのシステムのうち、医薬品備蓄システムにおいて生成された物流医薬品情報を調剤業務支援システムに対して出荷する医薬品に付すことで、調剤業務支援システムにおいても医薬品備蓄システム内と同じ情報を管理することができるという作用を有する。また、それぞれのシステム内において先入れ先出しの原則を維持して有効期限の管理が容易となる作用を有するのは請求項１３に記載された発明と同様である。
【００３２】請求項１５に記載された医薬品流通管理システムは、請求項１３又は請求項１４に記載された発明において、処方箋情報を入力する第１の入力部に代えて、レセプトコンピュータに入力された処方箋情報を読み出すレセプトコンピュータとのインターフェースを備えるものである。
このように構成された医薬品流通管理システムにおいては、請求項１３または請求項１４に記載の発明の作用に加えて、レセプトコンピュータに対する入力と調剤業務支援システムへの入力という２重の入力を行う必要がなく、レセプトコンピュータとのインターフェースはレセプトコンピュータの入力を取り込む作用を有する。
【００３３】請求項１６に記載された医薬品流通管理システムは、請求項１３乃至請求項１５に記載された発明において、物流医薬品情報に含まれる数量情報が予め設定した第２の発注点に到達した場合に該数量情報を含む物流医薬品情報から医薬品情報を読み出して発注処理を行う第２の発注処理部を有するものである。
このように構成された医薬品流通管理システムにおいては、在庫卸医薬品の数量が予め設定された発注点に到達した場合に、第２の発注処理部が数量情報の減少を感知して発注を行うものであるが、その際には物流医薬品情報から医薬品情報を読み出して行うため、医薬品備蓄システムで使用されるこれらの数量情報、ロット番号情報、有効期限情報を卸業者側で管理する必要がないという作用を有する。
【００３４】請求項１７に記載された医薬品流通管理システムは、請求項１６に記載された発明において、第２の発注点における在庫設定が第１の発注点における在庫設定よりも数量が多いものである。
このように構成された医薬品流通管理システムにおいては、調剤業務支援システムの消費量による在庫管理を、医薬品備蓄システムの消費量による在庫管理よりも詳細に実施することができるという作用を備える。
【００３５】
【発明の実施の形態】
以下に、本発明に係る調剤業務支援システム、医薬品備蓄システム及び医薬品流通管理システムの実施の形態を図１乃至図１４に基づき説明する。（請求項１乃至請求項１７に対応）
図１は本発明の実施の形態に係る医薬品流通管理システムの全体構成図である。図１において、医薬品流通管理システムは調剤業務支援システム１と医薬品備蓄システム２から構成されている。調剤業務支援システム１は、例えば医療機関や薬局４ａに設置され、医薬品備蓄システム２は備蓄センター６に設置されるシステムである。
【００３６】薬局４ａに設置された調剤業務支援システム１は、レセコン５に入力された処方箋データを、パソコン８などのインターフェースを介して受けて様々な処理を行う。この処理には医薬品の発注処理も含まれるが、調剤業務支援システム１からの発注情報は、インターネット９を介して医薬品備蓄システム２によって受信される。医薬品備蓄システム２内部では、薬局４ａなどからの発注情報を受ける受注処理、医薬品卸３に対してインターネット９を介して実施する発注処理、照会処理やもちろん薬局４ａ，４ｂ，４ｃなどに対する出荷処理も実施される。受注は、薬局４ａのようにレセコン５と連動させてインターネット９経由で行われる他、例えば薬局４ｂではパソコン１０を通じて受注したり、薬局４ｃからはファクス１１ａ，１１ｂ間の通信によって受注を受けることもある。
【００３７】本実施の形態の最も重要な構成は、医薬品備蓄システム２の存在にある。通常、薬局４ａ，４ｂ，４ｃは医薬品の購入の際には、直接医薬品卸３から購入するが、本実施の形態に係る医薬品流通管理システムでは、その間に医薬品備蓄システム２を設けて、ストック倉庫７を備えることによって流通のいわばバッファーを設けるというものである。
【００３８】図２は、図１を簡略化して示す本実施の形態に係る医薬品流通管理システムの構成図である。
図２において、実線は物流、すなわち医薬品の流通の経路を示し、点線は情報の流れを示すものである。まず、医薬品の物流について説明すると、医薬品メーカー１４で製造された医薬品は、医薬品卸３を経由して一旦備蓄センター６のストック倉庫７に納入される。この備蓄センター６に医薬品備蓄システム２を備えておき、このストック倉庫７内部の在庫管理を行う。
備蓄センター６は、薬局４に対してストック倉庫７から医薬品を出庫して納入する。薬局４は、患者１３に医薬品を渡す。
【００３９】一方、情報の流れは、まず薬局４は患者１３から処方箋を受け取り、その内容をレセコン５に入力して診療請求の手続を行う。このレセコン５に入力された情報のうち、医薬品の種類及び数量に関する情報は、自動的に調剤業務支援システム１に読み出される。調剤業務支援システム１では、この読み出した情報に基づき、在庫や発注を管理する。薬局４毎に予め設定された発注のレベルを超えた段階で、薬局４は備蓄センター６に対して発注処理を行う。備蓄センター６は、複数の薬局４からの受注によって減少する在庫を管理しており、備蓄センター６が設定した発注のレベルを超えると、医薬品卸３に対して発注処理を行う。さらに、医薬品卸３は医薬品メーカー１４に対して発注を行う。
【００４０】ここで、本発明の実施の形態に係る調剤業務支援システムと医薬品流通管理システムについて図３及び図４を参照しながらその構成を詳細に説明する。（特に、請求項１乃至請求項４、請求項６、請求項１３乃至請求項１５に対応）
図３において、点線で示される調剤業務支援システム１は、大まかにはシステム本体１５、薬局在庫データベース１６、薬局発注データベース１７、薬局変換備蓄変換マスタデータベース１８及び薬局医薬品管理庫２７から構成されている。さらに、システム本体１５の内部には、薬局内の薬剤師などが情報などを入力するための入力部１９や、レセコン５からの情報を読み出して入力するためのレセコン連動インターフェース２０が備えられている。このレセコン連動インターフェース２０は、入力部１９から処方箋に記載されている情報を入力する場合にはなくともよい。
【００４１】また、患者１３からの処方箋に記載された内容に基づいて、調剤のための指示書を作成する調剤指示書作成部２１や、医薬品メーカーや薬剤名などの情報が含まれる医薬品情報（本願明細書では、医薬品情報とは、医薬品メーカーあるいは医薬品名に関する情報をいう。）に、医薬品の数量情報、ロット番号情報及び医薬品の有効期限情報を付加した物流医薬品情報を生成する物流医薬品情報生成部２２が設けられている。この物流医薬品情報生成部２２によって、例えば処方すべき医薬品の在庫管理においては、医薬品メーカーや薬剤名による数量管理のみならず、ロット番号や有効期限も含めて数量管理が可能となる。ここで物流医薬品情報は、具体的には、デジタルコードのようなものに変換されて表現、表示されることが望ましい。
【００４２】この物流医薬品情報生成部２２で生成された物流医薬品情報は、薬局在庫データベース１６に在庫医薬品情報として格納されるのみならず、実際に薬局医薬品管理庫２７に保管されている医薬品に前述のようにデジタルコードなどとして付されるため、処方箋に基づく調剤や患者に医薬品を手渡すなど薬局内におけるすべての局面において詳細な情報を基に管理することが可能となる。
【００４３】薬局在庫データベース１６には、処方箋などに記載されている医薬品情報に、物流医薬品情報生成部２２で数量情報、ロット番号情報、有効期限情報を生成させて付加した状態で格納する。物流医薬品情報生成部２２における物流医薬品情報の生成には、数量情報やロット番号情報、有効期限情報を入力部１９から入力して行ったり、例えばこれらの情報の一部は薬局変換マスタデータベース１８に格納しておきそれを物流医薬品情報生成部２２が読み出して自動的に付加することで生成するようにしてもよい。
【００４４】調剤指示書作成部２１は、処方箋に含まれる医薬品情報に基づいて薬剤師に調剤を指示するための書面を作成する。その際には、この入力部１９から入力されるかあるいはレセコン連動インターフェース２０から読み出される処方箋情報に含まれる医薬品情報を読み出して、この医薬品情報と一致する医薬品情報を含む物流医薬品情報から、在庫医薬品のうち、最も有効期限が近い医薬品を選択して指示する。在庫管理部２４では、指示された有効期限が直近の医薬品の数量情報から薬局在庫データベース１６に格納された情報を更新する。従って、いわゆる先入れ先出しが可能となり、有効期限切れを最小限に食い止める管理が可能となる。
しかも、処方箋には予め詳細な情報を記入する必要がなく、処方箋に含まれる医薬品情報のみを抽出し、薬局在庫データベース１６、調剤指示書作成部２１、物流コード生成部２２を用いることで調剤指示書には有効期限の管理された情報を出力することが可能となる。
【００４５】発注処理分析部２５は、薬局在庫データベース１６から在庫医薬品の数量情報を読み出して、その数量が予め設定された発注点に到達した場合に、その数量情報を含む物流医薬品情報から医薬品情報を読み出して、その医薬品の発注処理を行う。発注の履歴は薬局発注データベース１７に格納され、過去の発注情報は発注処理分析部２５によって管理される。従って、薬局における医薬品の消費の推移を医薬品毎に管理することもできる。
発注点は医薬品毎に設定されるが、設定の仕方としては、例えば発注から納品までの期間が２日である場合を想定して、最近１か月において１日の間に最も在庫が減少した数量の２倍を維持するように発注点を設定するような場合が考えられる。このように設定されると、発注後に１日の最大消費量である日が２日連続しても在庫が維持される計算となる。但し、最大消費量の記録がこの２日間で更新されるような場合には在庫切れとなるので、もう少し余裕を持って発注点を設定してもよい。その設定は、その医薬品の消費の頻度と在庫切れが生じた場合の重篤度などによっても変動させる必要がある。
また、商品を消費量や売上高あるいは重篤度などから、予めＡ，Ｂ，Ｃなど３種類に分類しておき、その分類によって発注点の設定を行ってもよい。
【００４６】出力表示部２６は、入力部１９やレセコン連動インターフェース２０を介して入力される情報の内容や調剤指示書作成部２１で作成される指示書の内容、薬局在庫データベース１６に格納される医薬品の在庫の内容、あるいは発注の履歴情報などを表示するためのものである。また、この出力表示部２６は表示させるのみならず、他のシステムに表示される内容を出力するようにしてもよいことは言うまでもない。
【００４７】次に薬局変換マスタデータベース１８の内容について図４を参照しながら詳細に説明する。図４は本実施の形態に係る調剤業務支援システムの薬局変換マスタデータベースの内容を示す構造図である。図４において、符号５１は個別医薬品コード−ＪＡＮコード変換マスタを表す。個別医薬品コードとは、（株）じほうが管理するコードであり、レセコンに入力する際に用いられる医薬品情報を示すコードである。また、ＪＡＮコードとは（財）流通システム開発センターが登録管理するコードであり、一般的な物流に用いられるコードである。医薬品の通常の物流はこのＪＡＮコードを付した状態で行われる。  個別医薬品コード−ＪＡＮコード変換マスタ５１は、このＪＡＮコードと個別医薬品コードの間で変換を行うためのマスタであり、医薬品毎に変換されるようになっている。薬局取扱マスタ５２は、薬局４で取り扱う医薬品について個別医薬品コード−ＪＡＮコード変換マスタ５１から変換マスタを取り込んだものである。従って、薬局取扱マスタ５２は個別医薬品コード−ＪＡＮコード変換マスタ５１の一部分であるとも言える。レセコンマスタ５３は、レセコン独自に用いられるコードがある場合に、その独自コードを個別医薬品コードに変換するためのマスタである。従って、レセコンに入力される医薬品のコードが既に個別医薬品コードである場合には省略してもよい。
【００４８】また、個別医薬品コード−ＪＡＮコード変換マスタ５１は、薬局変換マスタデータベース１８において独自に設けてもよいが、例えば、医薬品備蓄システム２などに同様の変換マスタが設けられる場合には、その変換マスタのデータから薬局取扱マスタ５２を抽出するようにしてもよい。このように厚生された薬局変換マスタデータベース１８は、処方箋情報に含まれる医薬品情報を抽出する際に、図３に示された物流コード生成部２２からアクセスされコード変換を行う。従って、薬局変換マスタデータベース１８によって一般的な物流コードであるＪＡＮコードとして認識され、医薬品情報として用いられるのである。薬局在庫データベース１６には、このＪＡＮコードとして認識された医薬品コードに前述のとおり医薬品の数量情報、ロット番号情報、有効期限情報を付加して物流医薬品情報として格納される。
【００４９】このように、本実施の形態においては、物流医薬品コードは調剤業務支援システム１内で使用されるものであるため、既存の大きな流通システムには影響を与えることがなく、しかも、薬局においてもその存在については意識することがなく、詳細な管理を実現しながら経費が追加されるといった経済的な負担や、薬剤師などがいちいち詳細なコードをチェックするといった時間的な負担も強いることがない。
【００５０】このような詳細な管理は、後述する医薬品備蓄システムにおいても同様である。図５及び図６を参照しながら本実施の形態に係る医薬品備蓄システム及び医薬品流通管理システムについて説明する。（特に請求項７乃至請求項１０、請求項１２乃至請求項１４、請求項１６、請求項１７に対応）
医薬品備蓄システム２は、大まかにはシステム本体３１、備蓄在庫データベース３２、備蓄発注データベース３３、備蓄変換マスタデータベース３４、薬局データベース３５及び医薬品卸データベース３６から構成されている。なお、本実施の形態においてはストック倉庫７を医薬品備蓄システム２に含めずに説明するが含めてもよい。
【００５１】まず、備蓄在庫データベース３２は、備蓄センター６における医薬品の在庫情報を格納するものである。備蓄発注データベース３３は、備蓄センター６から医薬品卸３に対して発注した際の情報が格納されている。備蓄変換マスタデータベース３４には、図６を用いて後述するが、様々な変換マスタが格納されている。
また、薬局データベース３５には、調剤業務支援システムなどを設置している顧客である薬局４に関する情報を格納している。いつ、どれくらいの量の医薬品の受注があったか医薬品の種類毎に格納し、また、滞納などがないかなども含めて格納する。
【００５２】システム本体３１には備蓄センター６内の作業者による情報の入力のための入力部３７、薬局４からの受注を処理する受注処理部３８、受注に応じて出荷の処理を行う出荷処理部３９、さらに販売に伴う代金の請求や入金処理を行う売掛処理部４０が含まれている。
また、在庫管理部４２から在庫情報を読み出して、在庫存在の確認やあとどの程度の時間で在庫が医薬品備蓄システム独自の発注点に到達するかなどの分析を行ったり、この発注点に到達した場合に医薬品卸３に対する発注情報を生成する発注処理部４１や、備蓄在庫データベース３２から在庫情報を読み出す在庫管理部４２がある。
マスタ管理部４３は、図６に示される備蓄センター取扱マスタ６２や仕入マスタ６３ａ，６３ｂ，６３ｃ，６３ｄなどを管理するものであり、必要に応じて追加、削除、修正を行うものである。
【００５３】物流医薬品情報生成部４４は、調剤業務支援システム１に含まれる物流医薬品情報生成部２２と同様に、医薬品卸３が使用している通常のＪＡＮコードによって示される医薬品情報に、その医薬品の数量情報、ロット番号情報及び有効期限情報を付加した物流医薬品情報を生成する。この物流医薬品情報は、医薬品卸３から医薬品を入荷した段階で生成されるため、備蓄在庫データベース３２に格納される医薬品の在庫情報もこの物流医薬品情報で管理される。従って、ストック倉庫７に棚入れされる状態で、医薬品には物流医薬品情報が付されている。この物流医薬品情報は、具体的には文字や数字あるいは記号などによる表現の他、複数の線を羅列したバーコードなどデジタルコードのようなものに変換して付される。
【００５４】物流医薬品情報生成部４４における物流医薬品情報の生成は、数量情報やロット番号情報、有効期限情報を入力部３７から入力して行ってもよいし、例えばこれらの情報の一部は備蓄変換マスタデータベース３４に格納しておきそれを物流医薬品情報生成部４４が読み出して自動的に付加することで生成するようにしてもよい。
この物流医薬品情報もデジタルコードのようなものに変換されて表現、表示されることが望ましい。このように医薬品備蓄システム２において、既に物流医薬品情報を付加して管理を行うことで、備蓄センター６から薬局４へ小分けした医薬品を出荷する際に、この物流医薬品情報を付加した状態を維持することも可能である。このことについては出荷処理部３９における処理の説明時に再度説明する。
【００５５】また、薬局４からの受注は、特にこの物流医薬品情報で受けてももちろんよいが、そのような詳細な情報を付加した状態で受ける必要はない。薬局４からの発注情報は受注処理部３８で受けるが、この受注処理部３８で受けた発注情報に含まれる医薬品情報を、出荷処理部３９では読み出して、備蓄在庫データベース３２からその読み出された医薬品情報と一致する医薬品情報を含む物流医薬品情報を含む在庫医薬品の中から、最も有効期限が近い在庫医薬品を選択して優先的にその在庫医薬品を出荷するように処理する。
【００５６】出荷処理部３９で医薬品を出荷する場合には、物流医薬品情報を付加して出荷することは必ずしも必要でないが、この物流医薬品情報を付加して出荷することによれば、入荷した薬局４においても、同じ物流医薬品情報を用いて管理することが可能となる。従って、調剤業務支援システム１の物流医薬品情報生成部２２で生成された物流医薬品情報を、薬局医薬品管理庫２７に保管されている医薬品にデジタルコードなどとして付す必要がなくなる。
さらに、物流医薬品情報生成部２２は、このデジタルコードを読み込むことで、自動的に医薬品情報に数量情報、ロット番号情報及び有効期限情報を付加することが可能となるので、管理が非常に簡素化するため作業の労力を低減することが可能であり、しかも作業時間の短縮にもつながる。
【００５７】在庫管理部４２では、指示された有効期限が直近の医薬品の数量情報から備蓄在庫データベース３２に格納された情報を更新する。従って、医薬品備蓄システム２においてもいわゆる先入れ先出しが可能となり、有効期限切れを最小限に食い止める管理が可能となる。
発注処理部４１は、備蓄在庫データベース３２から在庫医薬品の数量情報を読み出して、その数量が予め設定された発注点に到達した場合に、その数量情報を含む物流医薬品情報から医薬品情報を読み出して、その医薬品の発注処理を医薬品卸３に対して行う。発注の履歴は備蓄発注データベース３３に格納され、過去の発注情報は発注処理部４１によって管理される。従って、医薬品備蓄システム２でも備蓄センター６における医薬品の消費の推移を医薬品毎に管理することもできる。
【００５８】調剤業務支援システム１における発注点と医薬品備蓄システム２における発注点は、異なる設定としておくことが望ましい。個々の薬局４などに配備される調剤業務支援システム１の発注点を、複数の薬局４からの受注を受ける備蓄センター６の医薬品備蓄システム２の発注点よりも細かく設定することで、この備蓄センター６の存在価値があるからである。すなわち、通常薬局４は、医薬品卸３から大きな単位で医薬品を購入する必要があるが、この備蓄センター６を中間に緩衝帯として挟むことで、少量の医薬品を頻度多く購入することが可能である。特に頻繁には消費されない医薬品であれば、少量購入が可能であるというメリットは大きい。
【００５９】発注処理部４１において医薬品卸３に対して発注する場合には、物流医薬品情報を付加するのではなく、医薬品卸３が使用しているＪＡＮコードで行うとよい。このように物流医薬品情報を医薬品備蓄システム２の中で管理することで、医薬品備蓄システム２の上流側の医薬品卸３や医薬品メーカー１４では従来のコードを使用することができるため、従来の流通システムに大きな影響を与えることなく詳細な管理が可能となる。
【００６０】出力表示部４６は、調剤業務支援システム１における出力表示部２６と同様で、情報の入力や出力を確認したり、各データベース３２〜３６の内容の確認や修正事項の確認を行うためにディスプレイに出力したり、他の装置やシステムに出力するものである。
【００６１】次に、図６を参照しながら備蓄変換マスタデータベース３４の内容について詳細に説明する。図６は、備蓄変換マスタデータベースの内容を示す構造図である。図６において、個別医薬品コード−ＪＡＮコード変換マスタ６１は先に図４に示されたものと同様である。備蓄センター取扱マスタ６２は、この個別医薬品コード−ＪＡＮコード変換マスタ６１から備蓄センター６が取り扱う医薬品について変換マスタを抽出して格納したものである。また、仕入マスタ６３ａ〜６３ｄは仕入先の医薬品卸３がＡ，Ｂ，Ｃ，Ｄの４業者存在する場合に、それぞれの医薬品卸３が取り扱う医薬品についての変換マスタを備蓄センター取扱マスタ６２から抽出して格納したものである。これらの仕入マスタ６３ａ〜６３ｄは、備蓄在庫データベース３２に接続されている。
【００６２】前述のとおり、発注処理部４１は、備蓄在庫データベース３２の在庫情報を読み出して発注処理を行うが、医薬品卸３が複数社存在していることが多く、この内どの医薬品卸３に発注するかについて判断する際にこの備蓄変換マスタデータベース３４が利用されるのである。備蓄在庫データベース３２において、医薬品の数量情報が設定された発注点に到達した場合には、それぞれの仕入マスタ６３ａ〜６３ｄに情報が伝達される。ここで、発注点に到達した医薬品の卸を行っている医薬品卸３のうち、どの業者を選択するかという判断に際してこの仕入マスタ６３ａ〜６３ｄに格納されたデータを参照する。仕入マスタ６３ａ〜６３ｄには、それぞれの医薬品卸３の医薬品の売値や卸としての規模、さらには優先順位など卸を依頼する場合に考慮すべき情報が格納されている。
【００６３】このように構成された本実施の形態に係る調剤業務支援システム１と医薬品備蓄システム２及びそれらを併せた医薬品流通管理システムに関する情報と物の流れについて図７を参照しながら詳細に説明する。
図７は図２を詳細に図示するものであるが、特に医療機関７１が処方箋を発行し、患者１３が薬局４にその処方箋を持参して投薬を受ける場合を例に示すものである。
【００６４】医療機関７１は、患者１３を診察した後、必要に応じて処方箋を出し、院外の薬局へ調剤を依頼することがある。特に医薬分業が進みつつある現状ではこのようなケースが多々発生する。患者１３は、医療機関７１で処方箋を受け取り、それを薬局４の窓口に提出する。薬局４では、この処方箋に記載された投薬内容をレセコンあるいは本実施の形態である調剤業務支援システムの端末に入力する。この作業によって、薬局４内の在庫管理部を通じて在庫確認が行われ、在庫があった場合には使用する医薬品の種類と量から在庫の更新を行う。その際に、基準在庫を割り込む場合、すなわち発注点に到達した場合には、補充の発注を行う。従って、この処方箋に記載された内容の入力が出荷依頼にもなるのである。
【００６５】備蓄センター６から納品された医薬品は、ＡＳＮ（Ａｄｖａｎｃｅｄ  Ｓｈｉｐｐｉｎｇ  Ｎｏｔｅ）と呼ばれる事前出荷明細と共に納品される。
配達された医薬品は入庫と同時に検品され、倉庫や棚に保管される。この医薬品は包装単位で納入される場合もあればその包装を解いて分割品として入荷される場合もある。このような方式を本願明細書では「ペイワンバイワン」と呼ぶがこのシステムについては図８を参照しながら後述する。
【００６６】在庫が確認されると出庫の指示が出され、ピッキングされた医薬品は調剤され、薬品明細書、ロット番号や有効期限を付した送り状とともに薬局４の窓口から患者１３に手渡される。
備蓄センター６は、薬局４からの分割品レベルでの発注を受ける。この受注によって、備蓄センター６における在庫を確認し、それと同時に在庫の更新を実施する。在庫の更新によって基準在庫を割り発注点に達した場合には、医薬品卸３に対して発注情報を生成する。その際の発注は、通常の包装箱単位で発注され、分割品単位で発注されることはない。
【００６７】薬局４からの受注によって在庫が確認された医薬品は、薬局４の求めに応じて受注した医薬品を分割小分けし、納品書を作成して出荷作業を実施する。その際には、備蓄センター６が独自に生成した物流医薬品情報を付加して、取り扱う医薬品の数量、ロット番号や有効期限を含めた医薬品に関する明細情報を管理できるようにしておく。出荷作業が終了したら配車の手配を行い、薬局４へ配達する。事前の出荷明細も納品しておく。
医薬品卸３は、備蓄センター６から包装箱単位での発注を受け、出荷作業を実施する。この場合には、医薬品卸３はＪＡＮコードを使用しており、備蓄センター６が実施するような詳細な管理は行っていない。出荷作業を終了した後、配車手続を行い、備蓄センター６に納品する。
以上のように本実施の形態に係る医薬品流通管理システムでは情報や医薬品が流通する。
【００６８】以下、図８を参照しながら、前述の「ペイワンバイワン」方式について説明し、さらに図９及び図１０を参照して医薬品を物流医薬品情報と共に管理する具体的な方法について説明する。（特に請求項４、請求項５、請求項１０、請求項１１に対応）
図８において、備蓄センター６では医薬品卸３から入荷した箱詰めの医薬品を包装シート単位あるいは包装袋単位に分割し、それぞれの包装に対して物流医薬品情報を付加した状態で管理している。このような状況下、前述のとおり薬局４からの発注情報を例えばインターネット９を経由して受注処理部３８で受付けて出荷処理部３９で出荷処理を行う。その際には、既に備蓄センター６で小分けした状態で医薬品を管理しているので、薬局４からの発注情報が包装シートや包装袋などの小分けした状態のものであっても、その単位で配送トラック７５による配送が可能である。本願明細書では、このような方式をペイワンバイワン方式と呼んでいる。
【００６９】この物流医薬品情報は、具体的には例えば、図９に示されるような調剤専用伝票８１と共に薬局医薬品管理庫２７に保管される。この調剤専用伝票８１には、顧客先表示欄８２があり備蓄センター６から出荷された薬局４名が掲載されている。また、医薬品メーカー名８３及び医薬品名８４など医薬品情報に加えて、数量情報８５、ロット番号情報８６、有効期限情報８７が記載されている。物流コード８８は、物流医薬品情報をデジタルコード化したものである。備蓄センター表示欄８９には出荷した備蓄センター６に関する情報が記載されている。
【００７０】このような調剤専用伝票８１は、備蓄センター６から出荷される際に添付するとよいが、このような伝票がなくとも、物流医薬品情報が正しく伝達されるならば、このような伝票を薬局４において作成するようにしてもよい。
この他、例えば図１０に示されるように、直接錠剤の包医薬品シート９３のシートタブ９４などに二次元コード９１と有効期限９２を表示することで物流医薬品情報を表示してもよい。このような二次元コード９１を用いる場合には薬剤師などが直接読めないので、バーコードリーダーなどを使用する必要があるが、そのバーコードリーダーを用いて情報を読み込み、その情報をデータベースなどに伝送することも可能となるので便利がよい。
【００７１】例えば、このような二次元コード９１と有効期限９２が示された物流医薬品情報を医薬品備蓄システム２の物流医薬品情報生成部４４で生成、印刷し、ストック倉庫７に医薬品を保管しておく。薬局４からの発注情報を受注処理部３８で受けて出荷処理部３９で出荷処理を行い、必要量の医薬品をストック倉庫７から搬出し、それを薬局４へ配送する。薬局４は、この二次元コード９１と有効期限９２が付された状態で医薬品を入荷するが、その際に、物流医薬品情報生成部２２に設けられたバーコードリーダーでこの二次元コード９１を読み込み、この中に含まれている物流医薬品情報を読み込み、この情報を薬局在庫データベース１６に格納する。このようにすることで、薬局４側では逐一物流医薬品情報を入力する必要もなく、薬局在庫データベース１６に格納することができ、処方箋を受け付けて調剤指示書もこの物流医薬品情報をベースに作成することが可能である。
【００７２】調剤指示書に物流医薬品情報のうち、例えば有効期限やロット番号、さらに数量情報を付すことによれば、表示調剤のために指定の医薬品をピッキングする際に、有効期限やロット番号まで含めて必要な数量の医薬品をピッキングすることができる。
有効期限とロット番号は常に一緒に示す必要はなく、いずれか一方でもよい。システムの運用に沿って選択してもよい。
【００７３】調剤指示書に付された物流医薬品情報は、そのまま文字や数字あるいは記号などで表現されてもよいし、バーコードなどデジタルコードで表現するものでもよい。薬局医薬品管理庫２７におけるピッキングの際に、例えば正確にピッキングされたかどうかを確認するためにバーコードリーダーなどで調剤指示書に記載された物流医薬品情報と実際にピッキングする医薬品の照合を行う場合には、文字、数字あるいは記号で表現するよりもデジタルコードで表現した方が望ましいが、薬剤師自身が視認する場合には人間が認識できるような数字や文字や記号の羅列で表現されることが望ましい。
このような医薬品と物流医薬品情報の管理は、備蓄センター６においても同様に可能である。調剤業務支援システム１における調剤指示書を用いてピッキングする作業は医薬品備蓄システム２においては、薬局４への出荷処理が相当し、薬局医薬品管理庫２７における管理は、ストック倉庫７における管理が相当する。
【００７４】次に、医薬品備蓄システム２における処理の内容について、実際に出力表示部４６に示される画面をいくつか紹介する。
図１１は、発注処理部４１で発注処理を行う際の画面を表示した概念図である。
図１１において、薬品名あるいはメーカー名を所定の欄に入力することで、該当する薬品を備蓄変換マスタデータベース３４を介して検索して発注データとして設定することができる。また、ＪＡＮコードからの検索も可能である。このＪＡＮコードは入力部３７から入力するが、その際にはキーボードなどのように直接入力するものであってもよいし、バーコードリーダーのようにスキャニングが可能で間接的に入力することが可能なものであってもよい。
検索によってヒットする仕入先（医薬品卸３）は、図１２に示すとおり、一覧表として出力表示部４６に表示される。表示は仕入先コードなどを予め設定しておき、それを表示したり、また、単価や値引率、さらに仕入先の優先順位などを表示するとよい。図１２で表示される仕入先から希望の仕入先を選択して発注処理を行う。
【００７５】図１１及び図１２においては表示によって作業者によって発注先の検索を行うようにしたが、これら一連の作業が、備蓄在庫データベース３２の数量情報によって在庫管理部４２や発注処理部４１が自動的に医薬品卸３に対して発注するようにしてもよい。その際には複数ある医薬品卸３の中から図１２に示されるような優先順位を予め設定しておき、その優先順位に従って発注するようにすることもできる。
次に図１３は、医薬品備蓄システム２の受注処理部３８で受注処理を行う際の出力表示部４６の画面表示である。この画面は例えば、備蓄センター６がインターネット９経由ではなく、ファクスや電話で注文を受けた場合に入力される画面である。
取引先（薬局４）の名前あるいは住所の一部などを入力することによって、取引先を検索する。また、注文を受けた医薬品名又はメーカー名の一部を入力して該当する医薬品の在庫を、備蓄変換マスタデータベース３４を経由して備蓄在庫データベース３２にアクセスして確認する。在庫が確認された場合には、受注数量を記入し、販売価格を計算する。
図１４は、在庫管理部４２において発注点を割っている状態の在庫について照会する画面である。発注点を割った場合には発注処理部４１から発注の処理が実行されるが、図１４は発注された状態であって未入庫の状態を示すものである。在庫数量と発注点数量やその差が表示されている。
【００７６】
【発明の効果】
以上説明したように、本発明に係る調剤業務支援システムにおいては、第１の物流情報生成部において物流医薬品情報を生成し、第１の在庫データベースに格納することで、処方箋に記載された医薬品を調剤する際に、有効期限の近い医薬品から調剤することができるため、有効期限の管理を容易かつ正確に実行することができる。また、予め設定された発注点に到達した場合には、発注処理を行うことができ、有効期限の効率的な管理を促進することができる。また、レセプトコンピュータとのインターフェースによって、入力部から入力することなく、レセコンに処方箋情報を入力するだけで、調剤の指示を行うこともできる。
【００７７】また、物流医薬品情報を付した医薬品を第１の医薬品管理庫に保管することで、医薬品のピッキングにおいて有効期限を確認可能であり、また、所望のロット番号に係る医薬品をピッキングすることも可能である。
包装袋や包装シートに直接物流医薬品情報を付すことによれば、物流医薬品情報と医薬品そのものを強固に結びつけて管理することが可能である。
物流医薬品情報をデジタルコードへ変換すれば、専用のコードリーダーなどで読み込むことが可能であり、物流医薬品情報の読み込みや読み出しに作業労力を伴うこともなく、時間的にも効率的に作業を実施することができる。
さらに、医薬品備蓄システムにおいても第２の物流情報生成部によって、物流医薬品情報が生成され第２の在庫データベースに格納されるので、調剤業務支援システムからの発注情報に基づいて、出荷処理部で処理を行う際には、有効期限の近い医薬品から出荷することができる。また、同様に予め設定された発注点に到達した場合には、発注処理を行うこともでき有効期限の効率的な管理が可能である。また、この物流医薬品情報を付した状態で医薬品を調剤業務支援システムに対して出荷することによれば、調剤業務支援システム内において物流医薬品情報を生成することなく、医薬品備蓄システムからの情報をそのまま使用することができ、調剤業務支援システム内における管理を容易に行うことができる。
【００７８】本発明に係る調剤業務支援システムと医薬品備蓄システムを併せた医薬品流通管理システムを構成することで、調剤業務支援システムを設置する顧客と医薬品備蓄システムを設置する備蓄センター間で経済的、時間的な負担を軽減しながら消費した医薬品そのままの量を補充して在庫の圧縮を実現しながら、期限徹底管理や調剤ミス防止などの安全対策を講じることができる。
また、医薬品備蓄システム側で生成した物流医薬品情報をそのまま医薬品に付して調剤業務支援システム側に出荷して、調剤業務支援システム側でその物流医薬品情報を利用することによれば、より効率的に有効期限管理が可能となる。
【００７９】さらに、調剤業務支援システムにおける発注点よりも医薬品備蓄システムにおける発注点を多く設定することで、調剤業務支援システムを設置する顧客側では使用した医薬品の量が少量であっても医薬品備蓄システムを設置する備蓄センター側に発注が可能となり、顧客側でより一層の在庫の圧縮を実現することができる。
【図面の簡単な説明】
【図１】本発明の実施の形態に係る医薬品流通管理システムの全体構成図である。
【図２】図１を簡略化して示す本実施の形態に係る医薬品流通管理システムの構成図である。
【図３】本実施の形態に係る調剤業務支援システムの構成図である。
【図４】調剤業務支援システムにおける薬局変換マスタデータベースの内容を示す構造図である。
【図５】本実施の形態に係る医薬品備蓄システムの構成図である。
【図６】医薬品備蓄システムにおける備蓄変換マスタデータベースの内容を示す構造図である。
【図７】詳細に示した本実施の形態に係る医薬品流通管理システムの構成図である。
【図８】ペイワンバイワン方式を説明するための概念図である。
【図９】例えば薬局医薬品管理庫で医薬品を保管する際に添付される調剤専用伝票の概念図である。
【図１０】例えば薬局医薬品管理庫に保管される医薬品に二次元コード及び有効期限を付した場合の概念図である。
【図１１】本実施の形態に係る医薬品備蓄システムの発注処理部で発注処理を行う際の出力表示部の画面の概念図である。
【図１２】本実施の形態に係る医薬品備蓄システムの発注処理部で仕入先を検索した結果を表示する出力表示部の画面の概念図である。
【図１３】本実施の形態に係る医薬品備蓄システムの受注処理部で受注処理を行う際の出力表示部の画面の概念図である。
【図１４】本実施の形態に係る医薬品備蓄システムの在庫管理部において発注点を割っている状態の在庫について照会する画面の概念図である。
【符号の説明】
１…調剤業務支援システム  ２…医薬品備蓄システム  ３…医薬品卸  ４，４ａ，４ｂ，４ｃ…薬局  ５…レセコン  ６…備蓄センター  ７…ストック倉庫  ８…パソコン  ９…インターネット  １０…パソコン  １１ａ，１１ｂ…ファクス  １２…薬局倉庫  １３…患者  １４…医薬品メーカー  １５…システム本体１６…薬局在庫データベース  １７…薬局発注データベース  １８…薬局変換マスタデータベース  １９…入力部  ２０…レセコン連動インターフェース  ２１…調剤指示書作成部  ２２…物流医薬品情報生成部  ２４…在庫管理部  ２５…発注処理分析部  ２６…出力表示部  ２７…薬局医薬品管理庫  ３１…システム本体  ３２…備蓄在庫データベース  ３３…備蓄発注データベース  ３４…備蓄変換マスタデータベース  ３５…薬局データベース  ３６…医薬品卸データベース  ３７…入力部  ３８…受注処理部  ３９…出荷処理部  ４０…売掛処理部４１…発注処理部  ４２…在庫管理部  ４３…マスタ管理部  ４４…物流医薬品情報生成部  ４６…出力表示部  ５１…個別医薬品コード−ＪＡＮコード変換マスタ  ５２…薬局取扱マスタ  ５３…レセコンマスタ  ５５…配送トラック  ６１…個別医薬品コード−ＪＡＮコード変換マスタ  ６２…備蓄センター取扱マスタ  ６３ａ，６３ｂ，６３ｃ，６３ｄ…仕入マスタ  ７１…医療機関  ７５…配送トラック  ８１…調剤専用伝票  ８２…顧客先表示欄  ８３…医薬品メーカー名  ８４…医薬品名  ８５…数量情報  ８６…ロット番号情報  ８７…有効期限情報  ８８…物流コード  ８９…備蓄センター表示欄  ９１…二次元コード  ９２…有効期限  ９３…医薬品シート  ９４…シートタブ
【図１】
2004287833.tif 000003
【図２】
2004287833.tif 000004
【図３】
2004287833.tif 000005
【図４】
2004287833.tif 000006
【図５】
2004287833.tif 000007
【図６】
2004287833.tif 000008
【図７】
2004287833.tif 000009
【図８】
2004287833.tif 000010
【図９】
2004287833.tif 000011
【図１０】
2004287833.tif 000012
【図１１】
2004287833.tif 000013
【図１２】
2004287833.tif 000014
【図１３】
2004287833.tif 000015
【図１４】
2004287833.tif 000016